(57)【要約】【課題】透過光による照度によって媒体の重走枚数を検知する重走検出機構は、媒体が流通により汚損されたものである場合に、媒体の重走枚数を検知する精度が低下するとともに、消費電力が増大する。【解決手段】搬送路３の一方の側面に光源８を配置するとともに、搬送路の他方の側面の光源と対向する位置に平凹レンズ９と複数のフォトセンサ１０とを配置する。複数のフォトセンサは、搬送路に対して鉛直方向に重ねて配置されている。枚数特定部１１は、複数のフォトセンサの中のいずれのフォトセンサが平凹レンズによって発散された光及び媒体２０の影のいずれか一方又は双方を取り入れたのかを識別することによって、搬送機構によって搬送された媒体の枚数を特定する。【選択図】図１
2011073860.tif 000002
【特許請求の範囲】
【請求項１】
搬送機構によって搬送路上を搬送されるシート状の媒体の重走を検知する重走検出機構において、
前記搬送路の搬送面及び搬送方向に対して略垂直な一方の側面に配置され、前記搬送路に対して一方の側面から他方の側面に向けて光を照射する光源と、
前記搬送路の他方の側面の前記光源と対向する位置に配置され、前記光源から照射された光及び当該光が前記搬送機構によって搬送される前記媒体の側面部分によって遮られることにより生じる媒体の影のいずれか一方又は双方を取り入れ、当該光及び当該媒体の影のいずれか一方又は双方を発散させる平凹レンズと、
前記搬送路の他方の側面の、前記平凹レンズを介して前記光源と対向する位置に、前記搬送路に対して鉛直方向に重ねて配置された、前記光及び前記媒体の影のいずれか一方又は双方を検知する複数のフォトセンサと、
前記複数のフォトセンサの中のいずれのフォトセンサが前記平凹レンズによって発散された前記光及び前記媒体の影のいずれか一方又は双方を取り入れたのかを識別することによって、前記搬送機構によって搬送された前記媒体の枚数を特定する枚数特定部と
を有することを特徴とする重走検出機構。
【請求項２】
請求項１に記載の重走検出機構において、
前記平凹レンズは、
平坦面が、前記光源と対向し、かつ、凹面が、前記複数のフォトセンサと対向するように配置されている
ことを特徴とする重走検出機構。
【請求項３】
請求項１又は請求項２に記載の重走検出機構において、
前記平凹レンズは、平凹シリンドリカルレンズとして構成されており、かつ、
前記光源は、単数或いは複数の単結晶薄膜半導体発光素子からなるＬＥＤアレイとして構成されている
ことを特徴とする重走検出機構。
【請求項４】
請求項１乃至請求項３のいずれか一項に記載の重走検出機構において、
前記複数のフォトセンサのそれぞれは、
前記搬送路に対する鉛直方向の位置が、前記媒体の枚数に対応して定まっている
ことを特徴とする重走検出機構。
【請求項５】
請求項１乃至請求項４のいずれか一項に記載の重走検出機構において、
前記搬送路の角部分に配置されている
ことを特徴とする重走検出機構。
【請求項６】
請求項１乃至請求項４のいずれか一項に記載の重走検出機構において、
前記搬送路の湾曲部分に配置されている
ことを特徴とする重走検出機構。
【請求項７】
収納部に収納されたシート状の媒体の厚さを検知する媒体厚さ検出機構において、
前記収納部の収納面及び収納方向に対して略垂直な一方の側面に配置され、前記収納部に対して一方の側面から他方の側面に向けて光を照射する光源と、
前記収納部の他方の側面の前記光源と対向する位置に配置され、前記光源から照射された光及び当該光が前記媒体の側面部分によって遮られることにより生じる媒体の影のいずれか一方又は双方を取り入れ、当該光及び当該媒体の影のいずれか一方又は双方を発散させる平凹レンズと、
前記収納部の他方の側面の、前記平凹レンズを介して前記光源と対向する位置に、前記収納部に対して鉛直方向に重ねて配置された、前記光及び前記媒体の影のいずれか一方又は双方を検知する複数のフォトセンサと、
前記複数のフォトセンサの中のいずれのフォトセンサが前記平凹レンズによって発散された前記光及び前記媒体の影のいずれか一方又は双方を取り入れたのかを識別することによって、前記収納部に収納された前記媒体の厚さを特定する厚さ特定部と
を有することを特徴とする媒体厚さ検出機構。
【請求項８】
請求項７に記載の媒体厚さ検出機構において、
前記平凹レンズは、
平坦面が、前記光源と対向し、かつ、凹面が、前記複数のフォトセンサと対向するように配置されている
ことを特徴とする媒体厚さ検出機構。
【請求項９】
請求項７又は請求項８に記載の媒体厚さ検出機構において、
前記平凹レンズは、平凹シリンドリカルレンズとして構成されており、かつ、
前記光源は、単数或いは複数の単結晶薄膜半導体発光素子からなるＬＥＤアレイとして構成されている
ことを特徴とする媒体厚さ検出機構。
【請求項１０】
請求項７又は乃至請求項９のいずれか一項に記載の媒体厚さ検出機構において、
前記複数のフォトセンサのそれぞれは、
前記収納部に対する鉛直方向の位置が、前記媒体の厚さに対応して定まっている
ことを特徴とする媒体厚さ検出機構。
【発明の詳細な説明】
【技術分野】
【０００１】
本発明は、搬送機構によって搬送路上を搬送されるシート状の媒体の重走を検知する重走検出機構及び収納部に収納されたシート状の媒体の厚さを検知する媒体厚さ検出機構に関する。
【背景技術】
【０００２】
重走検出機構は、搬送機構によって搬送路上を搬送されるシート状の媒体の重走を検知する機構である。
【０００３】
重走検出機構は、様々な機器（例えば、紙幣処理装置や、画像形成装置、画像読取装置、その他）に適用される。なお、「紙幣処理装置」としては、例えば、媒体として紙幣を取り扱う、ＡＴＭ（自動取引装置）や窓口装置等がある。また、「画像形成装置」としては、例えば、媒体として用紙を取り扱う、プリンタやコピー機、ＭＦＰ（Ｍｕｌｔｉ  Ｆｕｎｃｔｉｏｎ  Ｐｅｒｉｐｈｅｒａｌ）等がある。また、「画像読取装置」としては、例えば、媒体として用紙を取り扱う、スキャナやＭＦＰ等がある。
【０００４】
重走検出機構としては、搬送機構によって搬送された媒体に一定の光量の光を照射し、媒体を透過した光による照度（すなわち、光に照らされた面の単位面積が受ける光束）を測定することによって、媒体の有無及び媒体の重走枚数を検知するものがある（例えば、特許文献１参照）。
【０００５】
特許文献１は、画像形成装置に組み込まれた重走検出機構を開示している。この重走検出機構は、トレイやカセット等にセットされた用紙束から分離された用紙の面に対して、一定の光量の光を照射する。照射された光は、用紙を透過して、フォトセンサに入る。これにより、フォトセンサは、用紙の重走枚数に応じた照度を検知する。この照度が、例えば、２４５０〜２３００ルクスの場合に、用紙１枚に相当し、２２００〜２０５０ルクスの場合に、用紙２枚に相当し、１９５０〜１８００ルクスの場合に、用紙３枚に相当する。このようにして、この重走検出機構は、用紙の重走枚数を検知する。
【先行技術文献】
【特許文献】
【０００６】
【特許文献１】特開平５−８８５６４号公報
【発明の概要】
【発明が解決しようとする課題】
【０００７】
しかしながら、従来の重走検出機構は、以下に説明するように、媒体が流通されたものである場合に、媒体の重走枚数を検知する精度が低下するという課題、及び、消費電力が増大するという課題があった。
【０００８】
すなわち、媒体は、例えば紙幣等のように、流通により汚損されたものである場合に、固体毎に汚損状態が著しく異なるため、１枚当たりの媒体を透過する光量にバラツキが生じる。これにより、従来の重走検出機構は、媒体が流通により汚損されたものである場合に、透過光による照度にバラツキが生じるため、媒体の重走枚数を検知する精度が低下するという課題があった。
【０００９】
また、従来の重走検出機構は、重走している媒体を透過させることができる光量の光を媒体に照射する必要がある。そのため、従来の重走検出機構は、単純に媒体の有無を検知する場合と比べて、多大な光量の光を照射する必要があり、これにより、消費電力が増大するという課題があった。
【００１０】
第１発明は、前記した課題を解決するためになされたものであり、媒体が流通により汚損されたものであっても、媒体の重走枚数を正確に検知することができるとともに、消費電力を低減することができる重走検出機構を提供することを主な目的とする。
【００１１】
また、第２発明は、第１発明と同様の機構を用いて、収納部に収納されたシート状の媒体の厚さを正確に検知することができるとともに、消費電力を低減することができる媒体厚さ検出機構を提供することを目的とする。
【課題を解決するための手段】
【００１２】
前記目的を達成するため、第１発明は、搬送機構によって搬送路上を搬送されるシート状の媒体の重走を検知する重走検出機構であって、前記搬送路の搬送面及び搬送方向に対して略垂直な一方の側面に配置され、前記搬送路に対して一方の側面から他方の側面に向けて光を照射する光源と、前記搬送路の他方の側面の前記光源と対向する位置に配置され、前記光源から照射された光及び当該光が前記搬送機構によって搬送される前記媒体の側面部分によって遮られることにより生じる媒体の影のいずれか一方又は双方を取り入れ、当該光及び当該媒体の影のいずれか一方又は双方を発散させる平凹レンズと、前記搬送路の他方の側面の、前記平凹レンズを介して前記光源と対向する位置に、前記搬送路に対して鉛直方向に重ねて配置された、前記光及び前記媒体の影のいずれか一方又は双方を検知する複数のフォトセンサと、前記複数のフォトセンサの中のいずれのフォトセンサが前記平凹レンズによって発散された前記光及び前記媒体の影のいずれか一方又は双方を取り入れたのかを識別することによって、前記搬送機構によって搬送された前記媒体の枚数を特定する枚数特定部とを有する構成とする。
【００１３】
この重走検出機構は、光源が、媒体の側面から光を照射し、平凹レンズが、その光及び光が媒体の側面部分によって遮（さえぎ）られることにより生じる媒体の影のいずれか一方又は双方を取り入れ、その光及び媒体の影のいずれか一方又は双方を発散し、複数のフォトセンサが、平凹レンズによって発散された光及び媒体の影のいずれか一方又は双方を取り入れる。このとき、枚数特定部が、複数のフォトセンサの中のいずれのフォトセンサが平凹レンズによって発散された光及び媒体の影のいずれか一方又は双方を取り入れたのかを識別することによって、媒体の枚数を特定する。
【００１４】
また、第２発明は、収納部に収納されたシート状の媒体の厚さを検知する媒体厚さ検出機構であって、前記収納部の収納面及び収納方向に対して略垂直な一方の側面に配置され、前記収納部に対して一方の側面から他方の側面に向けて光を照射する光源と、前記収納部の他方の側面の前記光源と対向する位置に配置され、前記光源から照射された光及び当該光が前記媒体の側面部分によって遮られることにより生じる媒体の影のいずれか一方又は双方を取り入れ、当該光及び当該媒体の影のいずれか一方又は双方を発散させる平凹レンズと、前記収納部の他方の側面の、前記平凹レンズを介して前記光源と対向する位置に、前記収納部に対して鉛直方向に重ねて配置された、前記光及び前記媒体の影のいずれか一方又は双方を検知する複数のフォトセンサと、前記複数のフォトセンサの中のいずれのフォトセンサが前記平凹レンズによって発散された前記光及び前記媒体の影のいずれか一方又は双方を取り入れたのかを識別することによって、前記収納部に収納された前記媒体の厚さを特定する厚さ特定部とを有する構成とする。
【００１５】
この媒体厚さ検出機構は、第１発明の重走検出機構と同様に、光源が、媒体の側面から光を照射し、平凹レンズが、その光及び光が媒体の側面部分によって遮られることにより生じる媒体の影のいずれか一方又は双方を取り入れ、その光及び媒体の影のいずれか一方又は双方を発散し、複数のフォトセンサが、平凹レンズによって発散された光及び媒体の影のいずれか一方又は双方を取り入れる。このとき、厚さ特定部が、複数のフォトセンサの中のいずれのフォトセンサが平凹レンズによって発散された光及び媒体の影のいずれか一方又は双方を取り入れたのかを識別することによって、媒体の厚さを特定する。
【発明の効果】
【００１６】
第１発明によれば、媒体が流通により汚損されたものであっても、媒体の重走枚数を正確に検知することができるとともに、消費電力を低減することができる重走検出機構を提供することができる。
【００１７】
また、第２発明によれば、第１発明と同様の機構を用いて、収納部に収納されたシート状の媒体の厚さを正確に検知することができるとともに、消費電力を低減することができる媒体厚さ検出機構を提供することができる。
【図面の簡単な説明】
【００１８】
【図１】実施形態１に係る重走検出機構の構成を示す図である。
【図２】実施形態１に係る重走検出機構が適用される機器の一構成例を示す図である。
【図３】実施形態１に係る重走検出機構の動作を示す図である。
【図４】実施形態２に係る重走検出機構の適用位置の一例を示す図である。
【図５】実施形態２に係る重走検出機構の適用位置の他の例を示す図である。
【発明を実施するための形態】
【００１９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２０】
［実施形態１］
＜重走検出機構の構成＞
以下、図１を参照して、本実施形態１に係る重走検出機構の構成につき説明する。図１は、実施形態１に係る重走検出機構の構成を示す図である。なお、ここでは、媒体が、紙幣２０であるものとして説明する。この紙幣２０は、搬送路（以下、「紙幣搬送路３」と称する）に沿って、図示せぬ搬送機構によって搬送される。
【００２１】
図１に示すように、本実施形態１に係る重走検出機構７は、光源８、平凹レンズ９、複数の重走検知用フォトセンサ１０、及び枚数特定部１１を有している。
【００２２】
光源８は、光の照射手段である。光源８は、例えば、レーザ照射手段、又は、単数或いは複数の単結晶薄膜半導体発光素子からなるＬＥＤ（Ｌｉｇｈｔ  Ｅｍｉｔｔｉｎｇ  Ｄｉｏｄｅ）アレイ等によって構成されており、実装密度が高いほど好ましい。光源８は、紙幣搬送路３の搬送面及び搬送方向に対して略垂直な一方の側面に配置されている。光源８は、媒体（ここでは、紙幣２０）の側面から、重走枚数測定用の光（平行光・略平行光）を照射する。なお、光源８は、複数の単結晶薄膜半導体発光素子からなるＬＥＤアレイとして構成されている場合に、重走している媒体を透過させるだけの光量の光を容易に照射することが可能となる。
【００２３】
平凹レンズ９は、一方の面が平坦面として形成され、他方の面が凹面として形成されたレンズである。平凹レンズ９は、紙幣搬送路３の他方の側面の光源８と対向する位置に配置されている。
【００２４】
平凹レンズ９は、光及び媒体の影を発散させる機能を有している。なお、「発散」とは、光線が四方に広がる動作を意味している。図１に示す例では、平凹レンズ９は、光源８から照射された光及びその光が図示せぬ搬送機構によって搬送される媒体（ここでは、紙幣２０）の側面部分によって遮（さえぎ）られることにより生じる媒体の影のいずれか一方又は双方を取り入れ、その光及び媒体の影のいずれか一方又は双方を発散させる。平凹レンズ９は、好ましくは、光源８が単数或いは複数の単結晶薄膜半導体発光素子からなるＬＥＤアレイとして構成されている場合に、平凹シリンドリカルレンズとして構成されているとよい。なお、「平凹シリンドリカルレンズ」とは、光が透過する２つ主表面のうち、一方が平坦面に形成され、他方が円柱面状の溝を有する面状に形成されたレンズを意味する。
【００２５】
平凹レンズ９は、紙幣２０等のように薄い媒体の側面から照射された光及び媒体の影のいずれか一方又は双方を十分に取り入れることができ、かつ、媒体の重走枚数に応じて面積が増大する媒体の影を拡大して複数の重走検知用フォトセンサ１０に投影する構成となっている。
【００２６】
複数の重走検知用フォトセンサ（以下、単に「フォトセンサ」と称する）１０は、光及び媒体の影のいずれか一方又は双方を検知する検知手段である。複数のフォトセンサ１０は、紙幣搬送路３の他方の側面の、平凹レンズ９を介して光源８と対向する位置に、紙幣搬送路３に対して鉛直方向（立体方向）に重ねて配置されている。複数のフォトセンサ１０は、好ましくは、単一のフォトセンサアレイとして形成されているとよい。複数のフォトセンサ１０は、平凹レンズ９によって発散された光及び媒体の影のいずれか一方又は双方を取り入れる。
【００２７】
複数のフォトセンサ１０のそれぞれは、紙幣搬送路３に対する鉛直方向の位置が、媒体（ここでは、紙幣２０）の枚数に対応して定まっている。以下、平凹レンズ９の光軸９ａ上に配置されたフォトセンサを「フォトセンサ１０ａ」と称し、フォトセンサ１０ａを基準にして紙幣搬送路３に対して鉛直方向に等間隔おきに配置されたフォトセンサをそれぞれ「フォトセンサ１０ｂ，１０ｃ，…，１０ｎ」と称する。
【００２８】
「フォトセンサ１０ａ」は、「重走無し」の状態（すなわち、媒体が重走していない状態）を検出するためのセンサである。以下、「フォトセンサ１０ａ」を「重走無し検知用フォトセンサ１０ａ」と称する場合もある。
【００２９】
「フォトセンサ１０ｂ」は、「重走２枚」の状態（すなわち、２枚の媒体が重走している状態）を検出するためのセンサである。以下、「フォトセンサ１０ｂ」を「重走２枚検知用フォトセンサ１０ｂ」と称する場合もある。
【００３０】
「フォトセンサ１０ｃ」は、「重走３枚」の状態（すなわち、３枚の媒体が重走している状態）を検出するためのセンサである。以下、「フォトセンサ１０ｃ」を「重走３枚検知用フォトセンサ１０ｃ」と称する場合もある。
【００３１】
同様に、「フォトセンサ１０ｎ」は、「重走ｎ枚」の状態（すなわち、ｎ枚の媒体が重走している状態）を検出するためのセンサである。以下、「フォトセンサ１０ｎ」を「重走ｎ枚検知用フォトセンサ１０ｎ」と称する場合もある。
【００３２】
枚数特定部１１は、複数のフォトセンサ１０の状態に基づいて、媒体（ここでは、紙幣２０）の重走の有無、及び、媒体の搬送の有りと判定された場合の重走枚数を特定する機能手段である。枚数特定部１１は、図示せぬＣＰＵ、ＲＡＭ、ＲＯＭ、及び制御用のプログラムによって構成されている。枚数特定部１１は、複数のフォトセンサ１０の中のいずれのフォトセンサ１０ａ，１０ｂ，１０ｃ，…，１０ｎが平凹レンズ９によって発散された光又は媒体の影を取り入れたのかを識別することによって、図示せぬ搬送機構によって搬送された媒体（ここでは、紙幣２０）の枚数を特定する。
【００３３】
＜重走検出機構が適用される機器＞
以下、図２を参照して、本実施形態１に係る重走検出機構７が組み込まれる機器につき説明する。図２は、実施形態１に係る重走検出機構が適用される機器の一構成例を示す図である。
【００３４】
重走検出機構７は、様々な機器（例えば、紙幣処理装置や、画像形成装置、その他）に適用される。ここでは、図２に示すように、重走検出機構７が、紙幣処理装置１に適用されるものとして説明する。なお、紙幣処理装置１は、媒体として紙幣２０を取り扱う、ＡＴＭ（自動取引装置）や窓口装置等の装置である。
【００３５】
図２に示す例では、紙幣処理装置１は、紙幣投入口２、紙幣搬送路３、紙幣鑑別部４、一時保留部５、紙幣収納部６、及び重走検出機構７を有している。図２に示す例では、重走検出機構７は、紙幣２０の搬送方向における、紙幣鑑別部４の直前の位置に配置されている。なお、図２中、矢印は、紙幣２０の搬送方向を示している。紙幣２０は、例えば、搬送ローラや搬送ベルト等の、図示せぬ搬送機構によって搬送される。
【００３６】
紙幣投入口２は、入金処理時に、顧客によって紙幣２０が投入され、出金処理時に、顧客に放出する紙幣２０が集積される機構である。
紙幣搬送路３は、紙幣２０が搬送される経路である。紙幣２０は、紙幣搬送路３に沿って、図示せぬ搬送機構によって搬送される。
【００３７】
紙幣鑑別部４は、紙幣２０の真偽及び金種を鑑別し、金種毎に紙幣２０の枚数をカウントする機構である。
一時保留部５は、紙幣２０が一時集積される機構である。
紙幣収納部６は、紙幣２０が収納される機構である。
【００３８】
紙幣処理装置１は、入金処理時に、顧客によって紙幣投入口２から投入された紙幣２０を１枚ずつ分離して、紙幣搬送路３に沿って、図示せぬ搬送機構によって紙幣２０を紙幣鑑別部４まで搬送する。
そして、紙幣処理装置１は、紙幣鑑別部４によって紙幣２０の真偽及び金種を鑑別し、金種毎に紙幣２０の枚数をカウントしながら、図示せぬ搬送機構によって紙幣２０を一時保留部５まで搬送して、紙幣２０を一時保留部５に集積するとともに、鑑別された紙幣２０の金種及び枚数を図示せぬ顧客操作部に表示する。
この後、紙幣処理装置１は、顧客が表示内容を確認すると、一時保留部５に集積された紙幣２０を分離して、図示せぬ搬送機構によって紙幣２０を紙幣収納部６まで搬送し、紙幣２０を紙幣収納部６に収納する。
【００３９】
また、紙幣処理装置１は、出金処理時に、紙幣収納部６に収納された紙幣２０の中から、顧客によって出金要求された金額分の紙幣２０を分離して、紙幣搬送路３に沿って、図示せぬ搬送機構によって紙幣２０を紙幣鑑別部４まで搬送する。
そして、紙幣処理装置１は、紙幣鑑別部４によって紙幣２０の真偽及び金種を鑑別し、金種毎に紙幣２０の枚数をカウントしながら、図示せぬ搬送機構によって紙幣２０を紙幣投入口２まで搬送して、紙幣２０を紙幣投入口２に集積する。
この後、紙幣処理装置１は、紙幣投入口２を開放して、紙幣２０を顧客に放出する。
【００４０】
＜重走検出機構の動作＞
以下、図３を参照して、本実施形態１に係る重走検出機構７の動作につき説明する。ここでは、重走検出機構７のフォトセンサ１０は、光源８から照射された光を取り入れた場合（すなわち、明るくなったことを検知した場合）に、「ＯＦＦ状態」になり、媒体である紙幣２０の影を取り入れた場合（すなわち、媒体で光が遮蔽され暗くなったことを検知した場合）に、「ＯＮ状態」になるものとして説明する。
【００４１】
図３（ａ）に示すように、重走検出機構７は、紙幣２０が搬送されていない場合に、すべてのフォトセンサ１０ａ，１０ｂ，１０ｃ，…，１０ｎが、光源８から照射された光を取り入れる。そのため、すべてのフォトセンサ１０ａ，１０ｂ，１０ｃ，…，１０ｎが、明るくなったことを検知した状態（すなわち、「ＯＦＦ状態」）となる。この場合に、枚数特定部１１は、紙幣２０の搬送無し状態であると識別し、紙幣２０の枚数を「０枚」と特定する。
【００４２】
また、図３（ｂ）に示すように、重走検出機構７は、紙幣２０が１枚搬送されている場合に、フォトセンサ１０ａのみが紙幣２０の影を取り入れ、他のフォトセンサ１０ｂ，１０ｃ，…，１０ｎが、光源８から照射された光を取り入れる。そのため、フォトセンサ１０ａのみが暗くなったことを検知した状態（すなわち、「ＯＮ」状態）となり、他のフォトセンサ１０ｂ，１０ｃ，…，１０ｎが明るくなったことを検知した状態（すなわち、「ＯＦＦ状態」）となる。この場合に、枚数特定部１１は、紙幣２０の搬送が１枚の状態であると識別し、紙幣２０の枚数を「１枚」と特定する。
【００４３】
同様に、図３（ｃ）に示すように、重走検出機構７は、紙幣２０が２枚搬送されている場合に、フォトセンサ１０ａ，１０ｂが紙幣２０の影を取り入れ、他のフォトセンサ１０ｃ，…，１０ｎが、光源８から照射された光を取り入れる。そのため、フォトセンサ１０ａ，１０ｂが暗くなったことを検知した状態（すなわち、「ＯＮ」状態）となり、他のフォトセンサ１０ｃ，…，１０ｎが明るくなったことを検知した状態（すなわち、「ＯＦＦ状態」）となる。この場合に、枚数特定部１１は、紙幣２０の搬送が２枚の状態であると識別し、紙幣２０の枚数を「２枚」と特定する。
【００４４】
同様に、図３（ｄ）に示すように、重走検出機構７は、紙幣２０が３枚搬送されている場合に、フォトセンサ１０ａ，１０ｂ，１０ｃが紙幣２０の影を取り入れ、他のフォトセンサ１０ｄ（図示せず），…，１０ｎが、光源８から照射された光を取り入れる。そのため、フォトセンサ１０ａ，１０ｂ，１０ｃが暗くなったことを検知した状態（すなわち、「ＯＮ」状態）となり、他のフォトセンサ１０ｄ，…，１０ｎが明るくなったことを検知した状態（すなわち、「ＯＦＦ状態」）となる。この場合に、枚数特定部１１は、紙幣２０の搬送が３枚の状態であると識別し、紙幣２０の枚数を「３枚」と特定する。
【００４５】
以下、重走検出機構７は、紙幣２０の枚数に応じて、同様に動作する。したがって、重走検出機構７は、紙幣２０の枚数に応じて配置されたフォトセンサ１０の数だけ、図示せぬ搬送機構によって搬送される紙幣２０の枚数を特定することができる。
【００４６】
このようにして、重走検出機構７は、図示せぬ搬送機構によって紙幣搬送路３上を搬送されるシート状の媒体（ここでは、紙幣２０）の重走の有無及び重走枚数を検知する。この重走検出機構７は、特に、例えば流通紙幣のような透過光量の異なるシート状の媒体の重走枚数を検知するのに好適である。
【００４７】
以上の通り、本実施形態１に係る重走検出機構７によれば、媒体（ここでは、紙幣２０）の透過光を利用せずに、媒体の側面から照射された光及びその光が媒体の側面部分によって遮られることにより生じる媒体の影を利用するため、１枚当たりの媒体を透過する光量に関係することなく、媒体の枚数を特定することができ、これにより、たとえ媒体が流通により汚損されたものであっても、媒体の重走枚数を正確に検知することができる。
【００４８】
また、この重走検出機構７によれば、媒体を透過させることができる光量の光を媒体に照射する必要がないため、従来の重走検出機構よりも消費電力を低減することができる。
【００４９】
［実施形態２］
実施形態１では、重走検出機構７が、紙幣鑑別部４の直前の位置に配置されている（図２参照）。この構成では、重走検出機構７は、媒体（紙幣２０）に大きな皺（しわ）や折り目がある場合に、誤った枚数を検知する可能性がある。そのため、重走検出機構７は、媒体の皺や折り目が除去された状態で媒体の枚数を検知することが好ましい。
【００５０】
そこで、本実施形態２では、重走検出機構７は、媒体の皺や折り目が矯正された状態で、媒体の枚数を検知する構成とする。このような構成を実現するために、本実施形態２では、重走検出機構７は、搬送路の角となる部分（以下、「角部分」と称する）や搬送路の湾曲した部分（以下、「湾曲部分」と称する）等に配置するものとする。
【００５１】
以下、図４及び図５を参照して、本実施形態２に係る重走検出機構７の適用位置につき説明する。図４は、実施形態２に係る重走検出機構の適用位置の一例を示す図である。また、図５は、実施形態２に係る重走検出機構の適用位置の他の例を示す図である。
【００５２】
図４に示す例では、重走検出機構７は、紙幣搬送路３の角部分３ａに配置されている。紙幣搬送路３は、媒体（紙幣２０）が角部分３ａを通過する際に、曲げ応力を媒体に付与する。そのため、媒体は、角部分３ａを通過する際に、角部分３ａに沿って撓（たわ）む。これにより、媒体の皺や折り目が、伸ばされて、矯正される。重走検出機構７は、媒体の皺や折り目が矯正された状態で媒体の枚数を検知するため、媒体の正確な枚数を検知することができる。
【００５３】
一方、図５に示す例では、重走検出機構７は、紙幣搬送路３の湾曲部分３ｂに配置されている。湾曲部分３ｂは、媒体の皺や折り目を矯正するために、紙幣搬送路３に意図的に設けられたものである。紙幣搬送路３は、媒体（紙幣２０）が湾曲部分３ｂを通過する際に、曲げ応力を媒体に付与する。そのため、媒体は、湾曲部分３ｂを通過する際に、湾曲部分３ｂに沿って撓（たわ）む。これにより、媒体の皺や折り目が、伸ばされて、矯正される。重走検出機構７は、媒体の皺や折り目が矯正された状態で媒体の枚数を検知するため、媒体の正確な枚数を検知することができる。
【００５４】
以上の通り、本実施形態２によれば、たとえ媒体が皺や折り目があるものであっても、媒体の正確な枚数を検知することができる。
【００５５】
本発明は、前記した実施形態に限定されることなく、本発明の要旨を逸脱しない範囲で種々の変更や変形を行うことができる。
【００５６】
例えば、本発明は、紙幣処理装置１に限らず、例えば画像形成装置や画像読取装置等の、透過光量の異なるシート状の媒体を搬送する機構を有する装置に適用することができる。
【００５７】
また、例えば、重走検出機構７は、媒体を収容する収納部に配置することにより、収納部に収容された媒体の厚さを検出する媒体厚さ検出機構（図１参照）として用いることも可能である。ここで、「収容部」とは、例えば、本発明の適用装置が図２に示す紙幣処理装置１であれば、紙幣投入口２や一時保留部５、紙幣収納部６等を指しており、本発明の適用装置が画像形成装置であれば用紙収納カセットや排出トレイ等を指す。
【００５８】
なお、この場合に、光源８は、収納部の収納面及び収納方向に対して略垂直な一方の側面に配置され、収納部に対して一方の側面から他方の側面に向けて光を照射する構成となる。媒体厚さ検出機構は、光源８の実装密度が高くなるほど、媒体の厚さを正確に測定できるので、光源８の実装密度が高い方が好ましい。
【００５９】
また、この場合に、平凹レンズ９は、収納部の他方の側面の光源８と対向する位置に配置され、光源８から照射された光、及び、その光が媒体の側面部分によって遮られることにより生じる媒体の影を取り入れ、その光及び媒体の影を発散させる構成となる。平凹レンズ９は、好ましくは、光源８が単数或いは複数の単結晶薄膜半導体発光素子からなるＬＥＤアレイとして構成されている場合に、平凹シリンドリカルレンズとして構成されているとよい。
【００６０】
また、この場合に、複数のフォトセンサ１０は、収納部の他方の側面の、平凹レンズ９を介して光源８と対向する位置に、収納部に対して鉛直方向に重ねて配置された、光又は媒体の影を検知する構成となる。複数のフォトセンサのそれぞれは、収納部に対する鉛直方向の位置が、媒体の厚さに対応して定まった構成となる。
【００６１】
また、この場合に、枚数特定部１１は、「厚さ特定部」（図１参照）として機能する。その厚さ特定部１１は、複数のフォトセンサ１０の中のいずれのフォトセンサが平凹レンズ９によって発散された光又は媒体の影を取り入れたのかを識別することによって、収納部に収納された媒体の厚さを特定する。
【符号の説明】
【００６２】
１    紙幣処理装置
２    紙幣投入口
３    紙幣搬送路
３ａ    角部分
３ｂ    湾曲部分
４    紙幣鑑別部
５    一時保留部
６    紙幣収納部
７    重走検出機構（媒体厚さ検出機構）
８    光源
９    平凹レンズ
１０（１０ａ，１０ｂ，１０ｃ，…，１０ｎ）    重走検知用フォトセンサ
１１    枚数特定部（厚さ特定部）
２０    媒体（紙幣）
【図１】
2011073860.tif 000003
【図２】
2011073860.tif 000004
【図３】
2011073860.tif 000005
【図４】
2011073860.tif 000006
【図５】
2011073860.tif 000007